(57)【特許請求の範囲】
【請求項１】
スプレッダ本体２に伸縮自在に設けたテレスコピックフレーム３に、上端部５ａが下端部５ｂよりもスプレッダ本体２側に位置するように傾斜させた一対のガイドフレーム５を立設させ、該ガイドフレーム５上に立設させた門形フレーム６に、スタッキングガイド１３を昇降させる昇降シリンダー７を吊り下げ、更に前記スタッキングガイド１３の横梁１８に、その両端に位置するコーナーガイド１９を横方向にスライドさせるコーナーシリンダー２０を設けて、前記スタッキングガイド１３をスプレッダの外形寸法内に格納する機構を設けたコンテナ荷役装置１
【請求項２】
スプレッダ１Ａを持ち、該スプレッダ１Ａは少なくとも、スプレッダ本体２と、該スプレッダ本体２に伸縮自在に設けたテレスコピックフレーム３と、該テレスコピックフレーム３の先端に設けた両端部にツイストロックを持つ大横梁４とを有し、該大横梁４に上端部５ａが下端部５ｂよりもスプレッダ本体２側に位置するように傾斜させた一対のガイドフレーム５を立設させ、該ガイドフレーム５上に立設させた門形フレーム６に昇降シリンダー７を吊り下げると共に、前記ガイドフレーム５にガイドされつつ前記昇降シリンダー７によって昇降するようにスタッキングガイド１３を設け、更に該スタッキングガイド１３の横梁１８に、その両端に位置するコーナーガイド１９を横方向にスライドさせるコーナーシリンダー２０を設けたコンテナ荷役装置１。
【発明の詳細な説明】
【０００１】
【発明の属する技術分野】
本発明は、スタッキングガイドをスプレッダの外形寸法内に収めるようにしたコンテナ荷役装置に関する。
【０００２】
【従来の技術】
従来の固定式のスタッキングガイドを備えたコンテナ荷役装置は、スタッキングガイドがスプレッダの外形寸法内に収まらないために、スプレッダの外形寸法より大きく、かつ、隙間なく積まれたコンテナ、あるいは、ダブルスタックトレーラなどのガイド内に収納されたコンテナの荷役ができない。
【０００３】
【発明が解決しようとする課題】
上記の如く、スプレッダの外形寸法より大きく、かつ、隙間なく積まれたコンテナ、あるいは、ダブルスタックトレーラなどのガイド内に収納されたコンテナの荷役を行うには、スタッキングガイドをスプレッダの外形寸法内に収める必要がある。
【０００４】
スタッキングガイドをスプレッダの外形寸法内に格納する方法として、スタッキングガイドをスプレッダの上方にはね上げるはね上げ方式、ガイドをかわすだけスタッキングガイドをスプレッダの上方に垂直に引き上げる引き上げ方式、或いは、スタッキングガイドを回転し、スプレッダ本体内に収納する回転方式などが考えられるが、いずれにしても、機構が非常に複雑になる。
【０００５】
本発明は、係る従来の問題に鑑みてなされたものであり、隙間なく積まれたコンテナ、あるいは、ダブルスタックトレーラなどのガイド内に収納されたコンテナの荷役が可能であり、かつ、構造の簡単なコンテナ荷役装置を提供することを目的とするものである。
【０００６】
【課題を解決するための手段】
上記の課題を達成するための本発明のコンテナ荷役装置は、スプレッダ本体に伸縮自在に設けたテレスコピックフレームに、上端部が下端部よりもスプレッダ本体側に位置するように傾斜させた一対のガイドフレームを立設させ、該ガイドフレーム上に立設させた門形フレームに、スタッキングガイドを昇降させる昇降シリンダーを吊り下げ、更に前記スタッキングガイドの横梁に、その両端に位置するコーナーガイドを横方向にスライドさせるコーナーシリンダーを設けて、前記スタッキングガイドをスプレッダの外形寸法内に格納する機構を設けたことを特徴とするものである。
また、同コンテナ荷役装置は、更に詳しくは、スプレッダを持ち、該スプレッダは少なくとも、スプレッダ本体と、該スプレッダ本体に伸縮自在に設けたテレスコピックフレームと、該テレスコピックフレームの先端に設けた両端部にツイストロックを持つ大横梁とを有し、該大横梁に上端部が下端部よりもスプレッダ本体側に位置するように傾斜させた一対のガイドフレームを立設させ、該ガイドフレーム上に立設させた門形フレームに昇降シリンダーを吊り下げると共に、前記ガイドフレームにガイドされつつ前記昇降シリンダーによって昇降するようにスタッキングガイドを設け、更に該スタッキングガイドの横梁に、その両端に位置するコーナーガイドを横方向にスライドさせるコーナーシリンダーを設けたものである。
【０００７】
【発明の実施の形態】
以下、図面を用いて本発明の実施の形態について説明する。
図１に示すように、コンテナ荷役装置１は、スプレッダ１Ａを持ち、このスプレッダ１Ａのスプレッダ本体２に伸縮自在に設けられているテレスコピックフレーム３の先端にある大横梁４にガイドフレーム５を立設させている。このガイドフレーム５は、スプレッダ本体２側に傾斜し、その上端部５ａが下端部５ｂよりもスプレッダ本体２側に位置している。
【０００８】
図２に示すように、ガイドフレーム５は、左右一対設けられ、その上に門形フレーム６が立設されている。そして、この門形フレーム６に昇降シリンダー７を吊り下げている。昇降シリンダー７は、シリンダーロッド８の下端部にブラケット９を有している。そして、ブラケット９に固定した横杆１０の両端部にガイドフレーム５に沿って摺動する摺動子１１を取り付けている。
【０００９】
一方、図１に示すように、横杆１０に支持部材１２を介してスタッキングガイド１３を固定させている。スタッキングガイド１３は、図２に示すように、テレスコープ状に伸縮する３重構造の縦枠１４、縦枠１４の内枠１５に取り付けた横梁１８、横梁１８の両端部に摺動自在に設けたコーナーガイド１９から構成されている。更に、横梁１８の両端部にコーナーシリンダー２０が設けられ、このコーナーシリンダー２０によってコーナーガイド１９を横梁１８の横手方向にスライドさせるようになっている。
【００１０】
なお、上記縦枠１４の伸縮は、縦枠１４の外枠１６と内枠１５との間に架橋させた架橋シリンダー２１によって行うようになっている。１７は中枠を示している（図３参照）。
さて、図１に示すように、昇降シリンダー７のシリンダーロッド８を収縮させて摺動子１１がガイドフレーム５の上端部５ａに到達すると、スタッキングガイド１３は、二点破線で示すように、テレスコピックフレーム３の先端の大横梁４よりも上方に持ち上げられ、しかも、大横梁４の先端４ａより長さＬだけスプレッダ本体２側に後退している。
【００１１】
次に、コーナーシリンダー２０のシリンダーロッド２２を収縮させると、コーナーガイド１９が横梁１８の中央部に向かって互いに引き寄せられ、図４に示すように、大横梁４の側面４ｂよりそれぞれ幅Ｗだけ後退している。
従って、図４に示すように、コンテナ３０がガイド４０内に収納されている場合でも大横梁４の両端部に取り付けられているツイストロック（不図示）によって荷役できる。
【００１２】
一方、コーナーシリンダー２０を伸長させてコーナーガイド１９を拡げた後、昇降シリンダー７のシリンダーロッド８を伸長させて摺動子１１がガイドフレーム５の下端部５ｂに到達すると、スタッキングガイド１３は、実線で示すガイド位置にセットされる（図１及び図３参照）。
【００１３】
【発明の効果】
以上説明したように、本発明によれば、スプレッダ１Ａを持ち、該スプレッダ１Ａは少なくとも、スプレッダ本体２と、該スプレッダ本体２に伸縮自在に設けたテレスコピックフレーム３と、該テレスコピックフレーム３の先端に設けた両端部にツイストロックを持つ大横梁４とを有し、該大横梁４上に、上端部５ａが下端部５ｂよりもスプレッダ本体２側に位置するように傾斜させた一対のガイドフレーム５を立設させ、該ガイドフレーム５上に立設させた門形フレーム６に昇降シリンダー７を吊り下げると共に、前記ガイドフレーム５にガイドされつつ前記昇降シリンダー７によって昇降するようにスタッキングガイド１３を設け、更に該スタッキングガイド１３の横梁１８に、その両端に位置するコーナーガイド１９を横方向にスライドさせるコーナーシリンダー２０を設けたので、スタッキングガイドは上昇時にガイドフレームにガイドされスプレッダ本体側に引きつけられると共に、スタッキングガイドのコーナーガイドを横方向にスライドし引っ込めることによって、スタッキングガイドをスプレッダの外形寸法内に格納した状態にすることができる。 更に、前記スタッキングガイドの格納状態において、スプレッダの大横梁４の両端部に設けたツイストロックを用いてコンテナの荷役作業をすることができる。
従って、隙間なく積まれたコンテナ、あるいは、ダブルスタックトレーラなどのガイド内に収納されたコンテナの荷役が可能である。
また、その構造は、非常に簡単であり、工業上、有用な発明である。
【図面の簡単な説明】
【図１】本発明に係るコンテナ荷役装置の要部を示す側面図である。
【図２】本発明に係るコンテナ荷役装置の正面図である。
【図３】本発明に係るコンテナ荷役装置の要部を示す平面図である。
【図４】スタッキングガイドをスプレッダの外形寸法内に収めた状態を示す平面図である。
【符号の説明】
２  スプレッダ本体                  ３  テレスコピックフレーム
５  ガイドフレーム                  ５ａ  上端部
５ｂ  下端部                        ６  門形フレーム
７  昇降シリンダー                  １３  スタッキングガイド
１８  スタッキングガイドの横梁      １９  コーナーガイド
２０  コーナーシリンダー
【図１】
0003703921.tif 000002
【図２】
0003703921.tif 000003
【図３】
0003703921.tif 000004
【図４】
0003703921.tif 000005